【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
枯渇性ネットワーク資源を使用するための方法であって、
現在のサービス操作環境のタイプを判断する工程であって、前記タイプは信頼できる環境と信頼できない環境とを含み、現在のサービス操作は前記枯渇性ネットワーク資源の資源値に影響を及ぼすことができる、工程と、
前記現在のサービス操作環境の前記タイプが信頼できない環境である場合に、前記現在のサービス操作の前記枯渇性ネットワーク資源の前記資源値を第１等級資源値内に制限する工程、または
前記現在のサービス操作環境の前記タイプが信頼できる環境である場合に、前記現在のサービス操作の前記枯渇性ネットワーク資源の前記資源値を前記第１等級資源値より大きい第２等級資源値内に制限する工程と
を含む方法。
【請求項２】
前記現在のサービス操作環境の前記タイプを判断する工程は、
信頼できる環境の情報を含む信頼できる環境のプールを確立する工程、および
前記現在のサービス操作環境の前記情報が前記信頼できる環境のプール内の前記信頼できる環境の情報と一致する場合に、前記現在のサービス操作環境を信頼できる環境として判断する工程、または
前記現在のサービス操作環境の前記情報が前記信頼できる環境のプール内の前記信頼できる環境の情報と一致しない場合に、前記現在のサービス操作環境が信頼できない環境であると判断する工程
を含む、請求項１に記載の方法。
【請求項３】
信頼できる環境の情報を含む前記信頼できる環境のプールを確立する工程は、
サービス操作環境の情報を記録し、および前記サービス操作環境の情報を前記信頼できる環境のプール内に書き込む工程と、
前記信頼できる環境のプールが、不正オペレータにより行われた枯渇性ネットワーク資源の操作に対応する判断されたサービス操作環境の情報、または盗み操作に対応する判断されたサービス操作環境の情報を含む場合に、前記信頼できる環境のプールから前記サービス操作環境の前記情報を除去する工程と
を含む、請求項２に記載の方法。
【請求項４】
信頼できる環境の情報を含む前記信頼できる環境のプールを確立する工程は、
前記信頼できる環境のプールにより懸念される前記信頼できる環境の情報の要素を判断する工程と、
信頼できる環境の前記判断に対する前記信頼できる環境の情報の前記要素の重要性に従って各要素の重みを判断する工程と、
前記要素に従って前記操作環境の前記記録された情報の加重値を計算する工程と、
前記加重値が予め設定された値より大きい場合に、前記信頼できる環境のプール内に前記操作環境の前記情報を書き込む工程と
を含む、請求項２に記載の方法。
【請求項５】
前記現在のサービス操作の前記枯渇性ネットワーク資源の前記資源値を前記第１等級資源値内に制限する工程は、
前記現在のサービス操作の操作が失敗する場合に、前記枯渇性ネットワーク資源の前記資源値を更新する工程と、
前記枯渇性ネットワーク資源の前記更新された資源値が前記第１等級資源値に達する場合に、前記現在のサービス操作の任意のさらなる操作を制限する工程と
を含む、請求項１に記載の方法。 
【請求項６】
前記枯渇性ネットワーク資源の前記更新された資源値が前記第１等級資源値に達した後、
次のサービス操作の前記操作環境が信頼できない環境である場合に、前記次のサービス操作の操作を制限し、または
次のサービス操作の前記操作環境が信頼できる環境である場合に、前記次のサービス操作の前記操作の最大失敗回数を、前記枯渇性ネットワーク資源の前記資源値の前記第２等級資源値と前記第１等級資源値との差として制限する、請求項５に記載の方法。
【請求項７】
前記現在のサービス操作の前記枯渇性ネットワーク資源の前記資源値を前記第２等級資源値内に制限する工程は、
前記現在のサービス操作の操作が失敗する場合に、前記枯渇性ネットワーク資源の前記資源値を更新する工程と、
前記枯渇性ネットワーク資源の前記更新された資源値が前記第２等級資源値に達する場合に、前記現在のサービス操作の任意のさらなる操作を制限する工程と
を含む、請求項１に記載の方法。
【請求項８】
前記信頼できる環境は、
適正オペレータにより行われる枯渇性ネットワーク資源の操作に対応する判断された操作環境、
前記第２等級資源値の回復中の対応する操作環境、または
正常な操作に対応する判断された操作環境
を含む、請求項１〜７のいずれか一項に記載の方法。
【請求項９】
枯渇性ネットワーク資源を使用するための装置であって、
現在のサービス操作環境のタイプを判断するように構成されるタイプ判断部であって、前記タイプは信頼できる環境と信頼できない環境とを含み、現在のサービス操作は前記枯渇性ネットワーク資源の資源値に影響を及ぼすことができる、タイプ判断部、
前記現在のサービス操作環境の前記タイプが信頼できない環境である場合に、前記現在のサービス操作の前記枯渇性ネットワーク資源の前記資源値を第１等級資源値内に制限するように構成される第１の制限部、または
前記現在のサービス操作環境の前記タイプが信頼できる環境である場合に、前記現在のサービス操作の前記枯渇性ネットワーク資源の前記資源値を前記第１等級資源値より大きい第２等級資源値内に制限するように構成される第２の制限部
を含む装置。
【請求項１０】
信頼できる環境の情報を格納する信頼できるように構成される環境のプールをさらに含み、前記タイプ判断部は、
前記現在のサービス操作環境の前記情報が前記信頼できる環境のプール内の前記信頼できる環境の情報と一致する場合に、前記現在のサービス操作環境を信頼できる環境として判断するか、または
前記現在のサービス操作環境の前記情報が前記信頼できる環境のプール内の前記信頼できる環境の情報と一致しない場合に、前記現在のサービス操作環境が信頼できない環境であると判断するように構成される判断副部を含む、請求項９に記載の装置。
【請求項１１】
前記第１の制限部は、
前記現在のサービス操作の操作が失敗する場合に、前記枯渇性ネットワーク資源の前記資源値を更新するように構成される更新副部と、
前記枯渇性ネットワーク資源の前記更新された資源値が前記第１等級資源に達する場合に、前記現在のサービス操作の任意のさらなる操作を制限するように構成される制限副部と 
を含む、請求項９に記載の装置。
【請求項１２】
命令の組を記憶する非一時的コンピュータ可読媒体であって、前記命令は、装置の少なくとも一つのプロセッサによって、前記装置に枯渇性ネットワーク資源を使用するのための方法を実行させるように、実行可能であり、前記方法は、
現在のサービス操作環境のタイプを判断する工程であって、前記タイプは信頼できる環境と信頼できない環境とを含み、現在のサービス操作は前記枯渇性ネットワーク資源の資源値に影響を及ぼすことができる、工程と、
前記現在のサービス操作環境の前記タイプが信頼できない環境である場合に、前記現在のサービス操作の前記枯渇性ネットワーク資源の前記資源値を第１等級資源値内に制限する工程、または
前記現在のサービス操作環境の前記タイプが信頼できる環境である場合に、前記現在のサービス操作の前記枯渇性ネットワーク資源の前記資源値を前記第１等級資源値より大きい第２等級資源値内に制限する工程と
を含む、非一時的コンピュータ可読媒体。
【請求項１３】
前記現在のサービス操作環境の前記タイプを判断する工程は、
信頼できる環境の情報を含む信頼できる環境のプールを確立する工程、および
前記現在のサービス操作環境の前記情報が前記信頼できる環境のプール内の前記信頼できる環境の情報と一致する場合に、前記現在のサービス操作環境を信頼できる環境として判断する工程、または
前記現在のサービス操作環境の前記情報が前記信頼できる環境のプール内の前記信頼できる環境の情報と一致しない場合に、前記現在のサービス操作環境が信頼できない環境であると判断する工程
を含む、請求項１２に記載の非一時的コンピュータ可読媒体。
【請求項１４】
信頼できる環境の情報を含む前記信頼できる環境のプールを確立する工程は、
サービス操作環境の情報を記録し、および前記サービス操作環境の情報を前記信頼できる環境のプール内に書き込む工程と、
前記信頼できる環境のプールが、不正オペレータにより行われた枯渇性ネットワーク資源の操作に対応する判断されたサービス操作環境の情報、または盗み操作に対応する判断されたサービス操作環境の情報を含む場合に、前記信頼できる環境のプールから前記サービス操作環境の前記情報を除去する工程と
を含む、請求項１３に記載の非一時的コンピュータ可読媒体。
【請求項１５】
信頼できる環境の情報を含む前記信頼できる環境のプールを確立する工程は、
前記信頼できる環境のプールにより懸念される前記信頼できる環境の情報の要素を判断する工程と、
信頼できる環境の前記判断に対する前記信頼できる環境の情報の前記要素の重要性に従って各要素の重みを判断する工程と、
前記要素に従って前記操作環境の前記記録された情報の加重値を計算する工程と、
前記加重値が予め設定された値より大きい場合に、前記信頼できる環境のプール内に前記操作環境の前記情報を書き込む工程と
を含む、請求項１３に記載の非一時的コンピュータ可読媒体。
【請求項１６】
前記現在のサービス操作の前記枯渇性ネットワーク資源の前記資源値を前記第１等級資源値内に制限する工程は、
前記現在のサービス操作の操作が失敗する場合に、前記枯渇性ネットワーク資源の前記資源値を更新する工程と、
前記枯渇性ネットワーク資源の前記更新された資源値が前記第１等級資源値に達する場合に、前記現在のサービス操作の任意のさらなる操作を制限する工程と
を含む、請求項１２に記載の非一時的コンピュータ可読媒体。 
【請求項１７】
前記枯渇性ネットワーク資源の前記更新された資源値が前記第１等級資源値に達した後、
次のサービス操作の前記操作環境が信頼できない環境である場合に、前記次のサービス操作の操作を制限し、または
次のサービス操作の前記操作環境が信頼できる環境である場合に、前記次のサービス操作の前記操作の最大失敗回数を、前記枯渇性ネットワーク資源の前記資源値の前記第２等級資源値と前記第１等級資源値との差として制限する、請求項１６に記載の非一時的コンピュータ可読媒体。
【請求項１８】
前記現在のサービス操作の前記枯渇性ネットワーク資源の前記資源値を前記第２等級資源値内に制限する工程は、
前記現在のサービス操作の操作が失敗する場合に、前記枯渇性ネットワーク資源の前記資源値を更新する工程と、
前記枯渇性ネットワーク資源の前記更新された資源値が前記第２等級資源値に達する場合に、前記現在のサービス操作の任意のさらなる操作を制限する工程と
を含む、請求項１２に記載の非一時的コンピュータ可読媒体。
【請求項１９】
前記信頼できる環境は、
適正オペレータにより行われる枯渇性ネットワーク資源の操作に対応する判断された操作環境、
前記第２等級資源値の回復中の対応する操作環境、または
正常な操作に対応する判断された操作環境
を含む、請求項１２〜１８のいずれか一項に記載の非一時的コンピュータ可読媒体。